(57)【特許請求の範囲】
【請求項１】
室内空気の吸込口の周りに複数の吹出口を有し、独立した動きが可能な風向調節用のフラップを前記各吹出口に設けた天井埋込型の空気調和機において、
表示部を有するリモートコントローラと、
前記リモートコントローラに設けられ、前記フラップの複数のスイングモードから任意のスイングモードを設定する手段と、
前記表示部に設けられた７セグメント表示パターンと、
前記スイングモード設定時、該スイングモードにおけるフラップの動作を前記７セグメント表示パターンの各セグメント素子により表示する制御手段と、を備え、
前記吸込口は、矩形状で、
前記各吹出口は、前記吸込口の各辺と対応する位置にそれぞれ設けられ、
前記リモートコントローラは、前記各吹出口のうち相対向する吹出口の２つのフラップと別の相対向する吹出口の２つのフラップとを互いに逆方向にスイングさせるスイングモードを設定する手段を有し、
前記制御手段は、前記スイングモードの設定時、前記スイングに合わせて、前記７セグメント表示パターンにおける相対向するセグメント素子と別の相対向するセグメント素子とを交互に点灯する、
ことを特徴とする空気調和機。
【請求項２】
室内空気の吸込口の周りに複数の吹出口を有し、独立した動きが可能な風向調節用のフラップを前記各吹出口に設けた天井埋込型の空気調和機において、
表示部を有するリモートコントローラと、
前記リモートコントローラに設けられ、前記フラップの複数のスイングモードから任意のスイングモードを設定する手段と、
前記表示部に設けられた７セグメント表示パターンと、
前記スイングモード設定時、該スイングモードにおけるフラップの動作を前記７セグメント表示パターンの各セグメント素子により表示する制御手段と、を備え、
前記吸込口は、矩形状で、
前記各吹出口は、前記吸込口の各辺と対応する位置にそれぞれ設けられ、
前記リモートコントローラは、前記各吹出口のフラップを順繰りにスイングさせるスイングモードを設定する手段を有し、
前記制御手段は、前記スイングモードの設定時、前記スイングに合わせて、前記各７セグメント表示パターンにおける各セグメント素子を順に点灯する、
ことを特徴とする空気調和機。
【請求項３】
室内空気の吸込口の周りに複数の吹出口を有し、独立した動きが可能な風向調節用のフラップを前記各吹出口に設けた天井埋込型の空気調和機において、
表示部を有するリモートコントローラと、
前記リモートコントローラに設けられ、前記フラップの複数のスイングモードから任意のスイングモードを設定する手段と、
前記表示部に設けられた７セグメント表示パターンと、
前記スイングモード設定時、該スイングモードにおけるフラップの動作を前記７セグメント表示パターンの各セグメント素子により表示する制御手段と、を備え、
前記吸込口は、矩形状で、
前記各吹出口は、前記吸込口の各辺と対応する位置にそれぞれ設けられ、
前記リモートコントローラは、少なくとも、前記各吹出口のうち相対向する吹出口の２つのフラップと別の相対向する吹出口の２つのフラップとを互いに逆方向にスイングさせる第１スイングモード、および前記各フラップを順繰りにスイングさせる第２スイングモードのいずれかを設定する手段を有し、
前記制御手段は、前記第１スイングモードの設定時、その第１スイングモードを表す文字を前記７セグメント表示パターンの各セグメント素子により表示するとともに、前記第２スイングモードの設定時、その第２スイングモードを表す文字を前記７セグメント表示パターンの各セグメント素子により表示する、
ことを特徴とする空気調和機。
【発明の詳細な説明】
【技術分野】
【０００１】
この発明は、室内空気の吸込口の周りに複数の吹出口を有し、これら吹出口に風向調節用のフラップを設けた天井埋込型の空気調和機に関する。
【背景技術】
【０００２】
室内空気の吸込口の周りに複数の吹出口を有し、これら吹出口に風向調節用のフラップを設けた天井埋込型の空気調和機では、リモートコントローラの操作により、各フラップの角度を変えることができる。これにより、室内への吹出し方向を調節することができる。
【０００３】
各フラップについては、共通に動くのが普通であったが、最近、独立して動くタイプのものが登場している（例えば特許文献１）。
【特許文献１】特許第３１０８１６３号公報
【発明の開示】
【発明が解決しようとする課題】
【０００４】
独立して動くフラップを備えた空気調和機では、各吹出口の吹出し方向を室内環境やユーザの位置などに合わせて様々に設定することができる。
【０００５】
ただし、この場合、ユーザにとっては、各フラップの動きや角度を適切な状態に設定することが難しく、設定を誤ると反って不快になることがある。
【０００６】
この発明は上記の事情を考慮したもので、その目的は、各フラップの動きがどのような状態にあるかをユーザに的確に知らせることができ、これにより室内環境やユーザの位置などを考慮した最適な空調が可能な空気調和機を提供することである。
【課題を解決するための手段】
【０００７】
請求項１に係る発明の空気調和機は、室内空気の吸込口の周りに複数の吹出口を有し、独立した動きが可能な風向調節用のフラップを各吹出口に設けた天井埋込型のものであって、表示部を有するリモートコントローラと、前記リモートコントローラに設けられた前記フラップの複数のスイングモードから任意のスイングモードを設定する手段と、上記表示部に設けられた７セグメント表示パターンと、前記スイングモード設定時、該スイングモードにおけるフラップの動作を上記７セグメント表示パターンの各セグメント素子により表示する制御手段と、を備える。そして、前記吸込口は、矩形状である。前記各吹出口は、前記吸込口の各辺と対応する位置にそれぞれ設けられる。前記リモートコントローラは、前記各吹出口のうち相対向する吹出口の２つのフラップと別の相対向する吹出口の２つのフラップとを互いに逆方向にスイングさせるスイングモードを設定する手段を有する。前記制御手段は、前記スイングモードの設定時、前記スイングに合わせて、前記７セグメント表示パターンにおける相対向するセグメント素子と別の相対向するセグメント素子とを交互に点灯する。
【発明の効果】
【０００８】
この発明の空気調和機によれば、各フラップの動きがどのような状態にあるかをユーザに的確に知らせることができる。これにより、室内環境やユーザの位置などを考慮した最適な空調を設定できる。
【発明を実施するための最良の形態】
【０００９】
［１］以下、この発明の第１の実施形態について図面を参照して説明する。
【００１０】
図１において、１は矩形状に形成された天井埋込型の室内機で、被空調室内の天井面に埋込み状態で配置される。この室内機１の中央部に矩形状の吸込口２が設けられ、その吸込口２の周りにかつ吸込口２の各辺と対応する位置に、吹出口３，４，５，６がそれぞれ設けられている。そして、吹出口３，４，５，６に、それぞれ独立した動き（回動）が可能な風向調節用のフラップ１１，１２，１３，１４が設けられている。フラップ１１，１２，１３，１４は、夫々に設けられたフラップ駆動モータ（図示しない）により、図２に示すように、運転停止時には略水平方向（０°）の位置で停止され、後述するスイング時には、横吹き方向（３０°）から下吹き方向（６０°）の範囲で往復回動する。
【００１１】
この室内機１に制御ユニット２０が接続され、その制御ユニット２０に運転条件設定用のリモートコントローラ３０が接続されている。この室内機１、制御ユニット２０、リモートコントローラ３０および室外機（図示しない）などにより、天井埋込型の空気調和機が構成されている。制御ユニット２０は、リモートコントローラ３０からの指令に応じて当該空気調和機の運転を制御する。
【００１２】
上記リモートコントローラ３０は、図３に示すように、上面部に運転/停止ボタン３１、スイングモード選択ボタン３２、液晶表示部４０を有するとともに、制御手段としてＣＰＵ５０を内蔵している。液晶表示部４０には、運転モード表示パターン４１、設定温度表示パターン４２、風量表示パターン４３、フラップ動作モード表示パターン４４、および数値表示用の７セグメント表示パターン４５が用意されている。このうち、設定温度表示パターン４２は、温度値を表示するための２桁の７セグメント表示パターンを含む。７セグメント表示パターン４５は、４桁の７セグメント表示パターン４５ａ，４５ｂ，４５ｄ，４５ｅおよび１つのハイフン表示パターン４５ｃからなり、運転停止時やタイマ設定時等に現在時刻やタイマ時間を表示する機能のほかに、運転中またはスイングモード設定時はフラップ１１，１２，１３，１４の動作状態を表示する機能を有する。
【００１３】
そして、上記制御ユニット２０およびＣＰＵ５０は、各フラップの駆動に関わる主要な機能として、次の（１）（２）の制御手段を有している。  
（１）スイングモード選択ボタン３２の押圧操作に応じて、吹出口３，４，５，６のうち相対向する吹出口３，５の２つのフラップ１１，１３と別の相対向する吹出口４，６の２つのフラップ１２，１４とを互いに逆方向スイング（揺動ともいう）させるデュアルスイングモード（第１スイングモード）、およびフラップ１１，１２，１３，１４を順繰りにスイングさせるラウンドスイングモード（第２スイングモード）のいずれかを設定する制御手段。
【００１４】
（２）設定されたスイングモードに応じて、７セグメント表示パターン４５の各セグメント素子によりフラップの動作を表示する制御手段。具体的には、デュアルスイングモードの設定時、フラップ１１，１３とフラップ１２，１４との交互のスイングに合わせて、７セグメント表示パターン４５における下２桁の７セグメント表示パターン４５ｄ，４５ｅの相対向するセグメント素子と別の相対向するセグメント素子とを交互に点灯するとともに、ラウンドスイングモードの設定時、フラップ１１，１２，１３，１４の順繰りのスイングに合わせて、７セグメント表示パターン４５における下２桁の７セグメント表示パターン４５ｄ，４５ｅの各セグメント素子を順に点灯する。
【００１５】
つぎに、作用について説明する。  
リモートコントローラ３０のスイングモード選択ボタン３２の押圧操作により、デュアルスイングモードおよびラウンドスイングモードのいずれかが設定される。
【００１６】
デュアルスイングモードが設定されると、室内機１の吹出口３，４，５，６のうち、相対向する吹出口３，５のフラップ１１，１３と、別の相対向する吹出口４，６のフラップ１２，１４とが、互いに逆方向にスイングする。図１０に示すように、この交互スイングにより、例えば、吹出口３，５のフラップ１１，１３が横吹き方向（３０°）から下吹き方向（６０°）へ回動を始め、吹出口４，６のフラップ１２，１４が下吹き方向（６０°）から横吹き方向（３０°）へ回動を始める。次に吹出口３，５のフラップ１１，１３が下吹き方向（６０°）に到達すると逆方向の下吹き方向（６０°）から横吹き方向（３０°）へ向けて回動する。吹出口４，６のフラップ１２，１４が横吹き方向（３０°）に到達すると逆方向の横吹き方向（３０°）から下向き方向（６０°）へ向けて回動する。以下同様の動作が繰り返される。
【００１７】
このとき、フラップ１１，１３とフラップ１２，１４との交互スイングに合わせて、７セグメント表示パターン４５における下２桁の７セグメント表示パターン４５ｄ，４５ｅの相対向するセグメント素子と別の相対向するセグメント素子とが交互に点灯する。
【００１８】
すなわち、図４に示すように、７セグメント表示パターン４５ｄ，４５ｅの上部のセグメント素子（黒塗りで示す）および下部のセグメント素子（黒塗りで示す）と、図５に示すように、７セグメント表示パターン４５ｄの左側上下のセグメント素子（黒塗りで示す）および７セグメント表示パターン４５ｅの右側上下のセグメント素子（黒塗りで示す）とがそれぞれ交互に点灯する。
【００１９】
ユーザは、上部と下部のセグメント素子の点灯と、左側上下と右側上下のセグメント素子の点灯とが交互に点灯しているフラップ１１，１２，１３，１４がデュアルモードでスイングしていることを把握することができる。これに伴い、ユーザは、現在のデュアルスイングモードが室内環境やユーザの位置などに適合する最適な空調であるか否かを視覚的および感覚的に的確に判断することができる。最適な空調であると判断した場合はそのままデュアルスイングモードを継続し、最適な空調でないと判断した場合はスイングモード選択ボタン３２を押圧操作してデュアルスイングモードを解除することができる。
【００２０】
一方、ラウンドスイングモードが設定されると、室内機１の吹出口３，４，５，６のフラップ１１，１２，１３，１４が順繰りにスイングする。図１１に示すように、この順繰りスイングにより、吹出口３のフラップ１１が横吹き方向（３０°）から下吹き方向（６０°）に向けて回動を始め、次に吹出口４のフラップ１２が横吹き方向（３０°）から下吹き方向（６０°）に向けて回動を始め、次に吹出口５のフラップ１３が横吹き方向（３０°）から下吹き方向（６０°）に向けて回動を始め、次に吹出口６のフラップ１４が横吹き方向（３０°）から下吹き方向（６０°）に向けて回動を始める。フラップ１１，１２，１３，１４が順次下吹き方句（６０°）に到達すると逆方向（下吹き方向から横吹き方向）に順次回動を始め、以下同様の動作が繰り返される。本実施形態におけるラウンドスイングでは、スイング開始時以外は、どの時点においてもフラップ１１，１２，１３，１４が全て異なる角度となるように設定されている。これにより、室内をむらなく空調することができる。
【００２１】
このとき、フラップ１１，１２，１３，１４の順繰りのスイングに合わせて、７セグメント表示パターン４５における下２桁の７セグメント表示パターン４５ｄ，４５ｅの各セグメント素子が順に点灯する。
【００２２】
すなわち、図５に示すように、７セグメント表示パターン４５ｄの下部のセグメント素子（黒塗りで示す）、７セグメント表示パターン４５ｅの下部のセグメント素子（黒塗りで示す）、７セグメント表示パターン４５ｅの右側上下のセグメント素子（黒塗りで示す）がそれぞれ点灯する。次に図６に示すように、７セグメント表示パターン４５ｅの上部のセグメント素子（黒塗りで示す）、７セグメント表示パターン４５ｄの上部のセグメント素子（黒塗りで示す）、７セグメント表示パターン４５ｄの左側上下のセグメント素子（黒塗りで示す）がそれぞれ点灯する。そして、再び図５に示す点灯状態となる。
【００２３】
ユーザは、図５の点灯と図６の点灯が交互に行われるのを観てフラップ１１，１２，１３，１４がラウンドスイングモードでスイングしていることを把握できる。これに伴い、ユーザは、現在のラウンドスイングモードが室内環境やユーザの位置などに適合する最適な空調であるか否かを視覚的および感覚的に的確に判断することができる。最適な空調であると判断した場合はそのままラウンドスイングモードを継続し、最適な空調でないと判断した場合はスイングモード選択ボタン３２を押圧操作してラウンドスイングモードを解除することができる。
【００２４】
しかも、通常は現在時刻やタイマ時間を表示するための７セグメント表示パターン４５を用いてフラップ１１，１２，１３，１４のスイングを知らせるので、リモートコントローラ３０の液晶表示部４０という限られたエリアであっても、フラップ１１，１２，１３，１４の動きや角度を適切に知らせることができる。
【００２５】
［２］この発明の第２の実施形態について説明する。  
第２の実施形態では、デュアルスイングモードの設定時、そのデュアルスイングモードを表す文字たとえば『ｄＵＡＬ』が４桁の７セグメント表示パターン４５ａ，４５ｂ，４５ｃ，４５ｄで表示されるとともに、ラウンドスイングモードの設定時、そのラウンドスイングモードを表す文字たとえば『ＦｏＵｒ』が４桁の７セグメント表示パターン４５ａ，４５ｂ，４５ｃ，４５ｄで表示される。
【００２６】
ユーザは、『ｄＵＡＬ』の表示を見てフラップ１２，１４とフラップ１１，１３とが交互にスイングしていることを把握することができ、『ＦｏＵｒ』の表示を見てフラップ１１，１２，１３，１４が順繰りにスイングしていることを把握することができる。
【００２７】
他の構成および作用は第１の実施形態と同じである。よって、その説明は省略する。
【００２８】
［３］なお、７セグメント表示パターン４５ａ，４５ｂ，４５ｃ，４５ｄを用いる報知については、各セグメント素子のどれを点灯させるか、どの文字を表示するかなど、種々の変形が可能である。
【００２９】
例えば、フラップ１１，１２，１３，１４のスイングに同期させてスイング中のフラップに対応する７セグメントの各素子を点灯させてもよい。
【００３０】
また、全ての吹出口のフラップ１１，１２，１３，１４を同じ角度でスイングさせることも可能である。
【００３１】
その他、この発明は上記実施形態に限定されるものではなく、要旨を代えない範囲で種々変形実施可能である。
【図面の簡単な説明】
【００３２】
【図１】各実施形態の室内機の要部、制御ユニット、リモートコントローラの構成を示す図。
【図２】各実施形態の室内機におけるフラップとその吹出し方向を示す図。
【図３】図１におけるリモートコントローラの詳細を示す図。
【図４】第１の実施形態のデュアルスイングモードに際してのセグメント素子の発光を示す図。
【図５】第１の実施形態のデュアルスイングモードに際してのセグメント素子の発光の移り変わりを示す図。
【図６】第１の実施形態のラウンドスイングモードに際してのセグメント素子の発光を示す図。
【図７】第１の実施形態のラウンドスイングモードに際してのセグメント素子の発光の移り変わりを示す図。
【図８】第２の実施形態のデュアルスイングモードに際しての文字表示を示す図。
【図９】第２の実施形態のラウンドスイングモードに際しての文字表示を示す図。
【図１０】第１の実施形態のデュアルスイングモード時の時間経過と各フラップの角度の関係を示す図。
【図１１】第１の実施形態のラウンドスイングモード時の時間経過と各フラップの角度の関係を示す図。
【符号の説明】
【００３３】
１…室内機、２…吸込口、３，４，５，６…吹出口、１１，１２，１３，１４…フラップ、２０…制御ユニット、３０…リモートコントローラ、３１…運転／停止ボタン、３２…スイングモード選択ボタン、４０…液晶表示部、４５…７セグメント表示パターン、４５ａ，４５ｂ，４５ｃ，４５ｄ……７セグメント表示パターン、５０…ＣＰＵ
【図１】
0005153294.tif 000002
【図２】
0005153294.tif 000003
【図３】
0005153294.tif 000004
【図４】
0005153294.tif 000005
【図５】
0005153294.tif 000006
【図６】
0005153294.tif 000007
【図７】
0005153294.tif 000008
【図８】
0005153294.tif 000009
【図９】
0005153294.tif 000010
【図１０】
0005153294.tif 000011
【図１１】
0005153294.tif 000012